(57)【要約】【課題】複数の操作者による監査処理に係る操作を受付けることができる薬剤監査装置およびプログラムを提供する。【解決手段】薬剤監査装置は、登録手段と、第１判定手段と、読取手段と、第２判定手段と、を備える。前記登録手段は、処方された薬剤の監査を行う監査者の登録を受け付ける。前記第１判定手段は、前記登録手段が登録した監査者の人数が所定の条件を満たしているか否かを判定する。前記読取手段は、薬剤を識別する識別情報を読み取る。前記第２判定手段は、前記第１判定手段が所定の条件を満たしていると判定した場合に、前記読取手段が読み取った識別情報の薬剤が、前記処方された薬剤に含まれるか否かを判定する。【選択図】図１
2015169954.tif 000002
【特許請求の範囲】
【請求項１】
処方された薬剤の監査を行う監査者の登録を受け付ける登録手段と、
前記登録手段が登録した監査者の人数が所定の条件を満たしているか否かを判定する第１判定手段と、
薬剤を識別する識別情報を読み取る読取手段と、
前記第１判定手段が所定の条件を満たしていると判定した場合に、前記読取手段が読み取った識別情報の薬剤が、前記処方された薬剤に含まれるか否かを判定する第２判定手段と、
を備えた薬剤監査装置。
【請求項２】
前記第１判定手段は、所定の職種の監査者の人数が前記所定の条件を満たしているか否かを判定する、
請求項１に記載の薬剤監査装置。
【請求項３】
前記第１判定手段は、薬剤ごとにその薬剤の監査に係る監査者の人数又は職種を対応付けた設定情報に基づき、前記読取手段が読み取った識別情報の薬剤ごとに前記所定の条件を満たしているか否かを判定する、
請求項１または２に記載の薬剤監査装置。
【請求項４】
前記監査を開始する際に、医療従事者を入力する入力画面を表示する表示制御手段を更に備え、
前記登録手段は、前記入力画面から入力された医療従事者を監査者として登録する、
請求項１ないし３の何れか一項に記載の薬剤監査装置。
【請求項５】
前記表示制御手段は、前記監査を完了する操作が入力された場合に、前記入力画面を表示させて、
前記登録手段は、前記入力画面から監査者が入力された場合に、当該監査者としての登録を消去する、
請求項１ないし４の何れか一項に記載の薬剤監査装置。
【請求項６】
コンピュータを、
処方された薬剤の監査を行う監査者の登録を受け付ける登録手段と、
前記登録手段が登録した監査者の人数が所定の条件を満たしているか否かを判定する第１判定手段と、
薬剤を識別する識別情報を読み取る読取手段と、
前記第１判定手段が所定の条件を満たしていると判定した場合に、前記読取手段が読み取った識別情報の薬剤が、前記処方された薬剤に含まれるか否かを判定する第２判定手段と、
として機能させるプログラム。
【発明の詳細な説明】
【技術分野】
【０００１】
本発明の実施形態は、薬剤監査装置およびプログラムに関する。
【背景技術】
【０００２】
病院の薬剤部では、患者に処方される医薬品（薬剤）や手術で用いられる医薬品を医師が作成した処方箋や指示書に基づいて取り揃える作業が行われている。そして、処方前や手術前には、医師や看護師、薬剤師等の医療従事者によって、医薬品が確実に取り揃えられているか否かを確認する監査作業が行われる。監査作業では、監査を行う医療従事者は、処方箋と取り揃えられた医薬品のラベルを突き合わせ、医薬品が処方箋通りのものであるかを確認し、監査用の書面に承認の署名を行う。
【０００３】
近年、このような監査作業を支援するため、医療機関において薬剤監査装置の利用が取り入れられている。薬剤監査装置は、電子カルテに含まれる処方箋データに基づいて、ディスプレイに処方薬剤名や医薬品のパッケージ画像等を表示する。そして、表示内容と取り揃えられた医薬品のラベルとが対応することを確認すると、監査を行う者は、ディスプレイに表示された承認ボタン等を操作して、承認作業を行う。
【０００４】
ところで、従来の薬剤監査装置においては、ログインユーザしか承認操作を行うことができなかった。しかしながら、医療現場においては人的ミスをより確実に防止するために、複数の監査者による多重チェックを行いながら薬剤監査を行いたいという要望がある。特に、投薬や取り扱いに注意を要する医薬品については、複数名で監査することが強く望まれている。また、監査には複数名の看護師が立ち会って多重チェックを行う場合もあるが、従来の薬剤監査装置は複数名分の承認操作を受付けることができなかった。
【発明の概要】
【発明が解決しようとする課題】
【０００５】
本発明が解決しようとする課題は、複数の操作者による監査処理に係る操作を受付けることができる薬剤監査装置およびプログラムを提供することである。
【課題を解決するための手段】
【０００６】
実施形態の薬剤監査装置は、登録手段と、第１判定手段と、読取手段と、第２判定手段と、を備える。前記登録手段は、処方された薬剤の監査を行う監査者の登録を受け付ける。前記第１判定手段は、前記登録手段が登録した監査者の人数が所定の条件を満たしているか否かを判定する。前記読取手段は、薬剤を識別する識別情報を読み取る。前記第２判定手段は、前記第１判定手段が所定の条件を満たしていると判定した場合に、前記読取手段が読み取った識別情報の薬剤が、前記処方された薬剤に含まれるか否かを判定する。
【図面の簡単な説明】
【０００７】
【図１】図１は、本実施形態にかかる薬剤管理システムの構成例を示す図である。
【図２】図２は、薬剤監査マスタのデータ構成例を示す説明図である。
【図３】図３は、薬剤監査装置の外観を示す正面図である。
【図４】図４は、薬剤監査装置のハードウェア構成を示すブロック図である。
【図５】図５は、監査設定情報のデータ構成例を示す説明図である。
【図６】図６は、薬剤監査装置の機能構成を示すブロック図である。
【図７】図７は、薬剤監査装置が実行する監査処理の手順を示すフローチャートである。
【図８】図８は、ログイン画面の一例を示す説明図である。
【図９】図９は、追加登録画面の一例を示す説明図である。
【図１０】図１０は、オーダー内容画面の一例を示す説明図である。
【図１１】図１１は、薬剤確認画面の一例を示す説明図である。
【図１２】図１２は、職種指定確認画面の一例を示す説明図である。
【図１３】図１３は、ログオフ入力画面の一例を示す説明図である。
【発明を実施するための形態】
【０００８】
図１は、本実施形態にかかる薬剤管理システム１０の構成例を示す図である。図１に示すように、薬剤管理システム１０は、電子カルテサーバ１１と、医師用の情報処理端末装置１２と、看護師用の情報処理端末装置１３と、薬剤監査装置１４と、医師用の携帯情報処理端末装置１８と、薬剤部サーバ１９と、薬剤登録装置２０と、を備えている。
【０００９】
電子カルテサーバ１１、情報処理端末装置１２、情報処理端末装置１３、薬剤監査装置１４、薬剤部サーバ１９及び薬剤登録装置２０は、通信ネットワーク１７に接続されている。また、医師用の携帯情報処理端末装置１８は、無線基地局１５及び公衆通信ネットワーク１６を介して通信ネットワーク１７に接続される。
【００１０】
尚、図１では、薬剤管理システム１０が１台の薬剤監査装置１４を備える例を図示したが、薬剤管理システム１０は複数台の薬剤監査装置１４を備えてもよい。
【００１１】
電子カルテサーバ１１は、電子カルテを記憶し管理する。医師用の情報処理端末装置１２および携帯情報処理端末装置１８は、電子カルテの参照やデータ入力等の処理を行う。看護師用の情報処理端末装置１３は、電子カルテの参照やデータ入力等の処理を行う。
【００１２】
薬剤部サーバ１９は、薬剤部に配置され薬剤の払出等の処理を管理する。また、薬剤部サーバ１９は、薬剤マスタＤＢ１と、薬剤監査マスタＤＢ２とを備える。より具体的には、薬剤マスタＤＢ１には、薬剤を識別する薬剤識別情報に対応付けて、薬剤の名称、規格（容量等）、製造元、販売元など、その薬剤に関する薬剤情報が登録されている。尚、薬剤監査装置１４が、オブジェクト認識技術やＯＣＲを用いて薬剤を識別する場合には、それら識別処理に用いる識別処理用データを予め薬剤マスタＤＢ１に格納しておけばよい。また、薬剤監査マスタＤＢ２には、薬剤識別情報に対応付けて、薬剤を監査する際の各種設定が薬剤ごとに登録されている。
【００１３】
図２は、薬剤監査マスタＤＢ２のデータ構成例を示す説明図である。図２に示すように、薬剤監査マスタＤＢ２は、薬剤ごとに、その薬剤の薬剤識別情報と、監査人数と、監査職種とを対応付けて記憶する。薬剤識別情報は、前述の薬剤識別情報である。監査人数には、監査を行う医療従事者（監査者）の人数が設定される。監査職種には、監査者の職種が設定される。例えば、監査職種は、看護師や、薬剤師や、医師や、専門医などである。また、監査職種は、職位などであってもよい。
【００１４】
薬剤登録装置２０は、手術室や救急救命室等に配置され、手術中あるいは救急治療の場において使用された薬剤（医薬品）の登録処理を行う。尚、薬剤登録装置２０は、使用薬剤のみならず、手術中に使用された医療具などを登録してもよい。
【００１５】
薬剤監査装置１４は、電子カルテに含まれる指示書情報に基づき、薬剤の取揃え作業の支援処理および監査処理に用いられることを想定する。指示書情報とは、投与する医薬品と、医薬品の服用量などを記憶した処方箋情報などである。そして、指示書情報には、指示書情報を識別するオーダー番号が割り振られている。
【００１６】
図３は、薬剤監査装置１４の外観を示す正面図である。薬剤監査装置１４は、内部に制御装置を備えた本体２４に、スキャナ２２と、プリンタ２３とが接続されている。また、本体２４の前面には、タッチパネルディスプレイ２１が設けられている。なお、スキャナ２２は、図３に示すようなテーブル上に載置する形状に限られるものではない。その他の形態として、床上に立設させるスタンド形状のスキャナ、もしくは、ハンドスキャナを本体２４に接続して用いてもよい。
【００１７】
スキャナ２２は、カラーＣＣＤ（Charge  Coupled  Device）イメージセンサやカラーＣＭＯＳ（Complementary  Metal-Oxide  Semiconductor）イメージセンサ等のイメージセンサ（図示せず）とＬＥＤなどの光源（図示せず）とを有している。スキャナ２２は、看護師コードのコードシンボル、患者コードのコードシンボル、薬剤のコードシンボル、薬剤の画像などの撮像を行う。スキャナ２２が所定のフレームレートで順次撮像したフレーム画像（撮像画像）は、後述するＲＡＭ（Random  Access  Memory）３３（図４参照）に保存される。
【００１８】
尚、薬剤監査装置１４には、薬剤の重量を測定する秤が接続されてもよい。また、薬剤監査装置１４は、薬剤に付されたＲＦＩＤ（Radio  Frequency  IDentification）との間でデータの読取り／書込みを行うＲＦＩＤリーダライタを備えてもよい。
【００１９】
図４は、薬剤監査装置１４のハードウェア構成を示すブロック図である。図４に示すように、薬剤監査装置１４は、ＭＰＵ（Micro  Processing  Unit）３１と、ＲＯＭ（Read  Only  Memory）３２と、ＲＡＭ３３と、外部記憶装置３４と、入出力Ｉ／Ｏ（Input／Output）３９とが、バス４０により相互接続されて構成されている。また、入出力Ｉ／Ｏ３９には、タッチパネルディスプレイ２１、スキャナ２２、プリンタ２３、通信インタフェース３８が接続されている。なお、タッチパネルディスプレイ２１は、ディスプレイ３５とタッチパネル３６とを有している。
【００２０】
ＭＰＵ３１は、ＲＯＭ３２あるいは外部記憶装置３４に格納されたプログラムをＲＡＭ３３に展開して実行することにより、入出力Ｉ／Ｏ３９に接続された上記各部を制御し、薬剤監査装置１４における各種処理を実行する。
【００２１】
外部記憶装置３４としては、ＨＤＤ（Hard  Disk  Drive）或いはＳＳＤ（Solid  State  Drive）など、大容量タイプの記憶装置を用いればよい。また、外部記憶装置３４は、監査者登録テーブルＴと、監査設定情報Ｄとを格納している。
【００２２】
監査者登録テーブルＴは、監査対象の指示書情報のオーダー番号に関連付けて、医療従事者を監査者として登録する。具体的には、監査者登録テーブルＴは、医療従事者を識別する識別情報である看護師コード、医師コード、薬剤師コード等を監査者として登録する。
【００２３】
監査設定情報Ｄは、監査処理における設定を記憶した情報である。図５は、監査設定情報Ｄのデータ構成例を示す説明図である。図５に示すように、監査設定情報Ｄは、ログイン人数設定と、薬剤単位人数設定と、ログオフ設定とを有する。ログイン人数設定は、薬剤監査装置１４を用いて薬剤監査処理を行う際に、監査者としてログインする人数を設定する。薬剤単位人数設定は、薬剤を識別する識別情報を読み取らせるたびに、承認を求める人数を設定する。ログオフ設定は、薬剤監査装置１４をログオフする際に、監査者を識別する監査者識別情報の入力を求めるか否かの設定である。
【００２４】
ところで、処方する薬剤の中には、麻酔や劇薬など取扱に注意を要する薬剤が存在する。このような取扱に注意を要する薬剤の場合、複数の監査者による多重チェックを行うことが好ましい。そこで、本実施形態の薬剤監査装置１４では、監査設定情報Ｄと薬剤監査マスタＤＢ２とを用いることで、監査者に係る条件（人数、職種）を薬剤単位で切り替える。監査設定情報Ｄと薬剤監査マスタＤＢ２との違いは、監査設定情報Ｄには、薬剤監査装置１４による監査処理の基本的な条件が設定され、薬剤監査マスタＤＢ２には、個々の薬剤の監査処理に対して固有の条件が設定されていることである。
【００２５】
次に、薬剤監査装置１４が有する特徴的な機能について説明する。図６は、薬剤監査装置１４の機能構成を示すブロック図である。薬剤監査装置１４のＭＰＵ３１は、ＲＯＭ３２や外部記憶装置３４に記憶された制御プログラムに従って動作することで、図６に示すように、読取部３１１、登録部３１２、判定部３１３、表示制御部３１４及び監査部３１５として機能する。
【００２６】
読取部３１１は、スキャナ２２の撮像画像から各種情報を読み取る。例えば、読取部３１１は、撮像画像に含まれるコードシンボルから、看護師コード、医師コード、薬剤師コード、患者コード等の識別情報をデコードして読み取る。また、読取手段である読取部３１１は、薬剤を識別する識別情報である薬剤コードを読み取る。なお、情報読取の手法は、特に限定されず、文字認識やオブジェクト認識により上述の各種情報を読み取ってもよい。
【００２７】
登録手段である登録部３１２は、読取部３１１が読み取った看護師コード、医師コード、薬剤師コード等の医療従事者を識別する識別情報を、指示書情報に基づいて薬剤の監査を行う監査者を監査者登録テーブルＴに登録する操作を受け付ける。また、登録部３１２は、ログオフ入力画面（図１３参照）において、読取部３１１が看護師コード、医師コード、薬剤師コード等の識別情報を読み取った場合に、読取部３１１が読み取った識別情報を有する医療従事者を監査者登録テーブルＴから消去する。
【００２８】
第１判定手段である判定部３１３は、読取部３１１が読み取った監査者の人数が所定の条件を満たしているか否かを判定する。具体的には、判定部３１３は、監査設定情報Ｄと、薬剤監査マスタＤＢ２とに設定された監査人数に達しているか否かを判定する。また、判定部３１３は、監査設定情報Ｄと、薬剤監査マスタＤＢ２とに設定された監査人の職種が条件を満たしているか否かを判定する。なお、判定部３１３は、監査設定情報Ｄに設定された監査人の人数と、薬剤監査マスタＤＢ２の人数とが一致しない場合には、人数の多い方を優先する。
【００２９】
表示制御部３１４は、タッチパネルディスプレイ２１への各種画面表示を制御する。具体的には、表示制御部３１４は、医療従事者を入力するログイン画面Ｇ１（図８参照）を表示する。また、表示制御部３１４は、判定部３１３が監査条件を満たしていないと判定した場合に、監査者の追加を求める追加登録画面Ｇ２（図９参照）を表示する。また、表示制御部３１４は、薬剤単位人数設定に複数人が設定されている場合には、薬剤コードを読み取る毎に、判定部３１３が監査条件を満たしたと判定するまで薬剤確認画面Ｇ４（図１１参照）を表示する。また、表示制御部３１４は、監査者の職種が指定されている場合には、薬剤コードを読み取る毎に、職種指定確認画面Ｇ５（図１２参照）を表示する。また、表示制御部３１４は、ログオフする際に、監査者のＩＤコードを読み取らせる設定がされている場合には、ログオフ入力画面Ｇ６（図１３参照）を表示する。
【００３０】
第２判定手段である監査部３１５は、一連の監査処理を実行する。一連の監査処理とは、読取部３１１が読み取った薬剤コードを有する薬剤が、指示書情報に含まれている薬剤であるか否かを照合する処理である。
【００３１】
次に、薬剤監査装置１４が実行する監査処理の手順について説明する。図７は、薬剤監査装置１４が実行する監査処理の手順を示すフローチャートである。前提条件として、薬剤監査装置１４は、指示書情報を受信し、外部記憶装置３４に記憶しているものとする。また、医療従事者として看護師が監査処理を行っている場合を例に説明する。
【００３２】
電源投入後、薬剤監査装置１４のＭＰＵ３１（表示制御部３１４）は、ログイン画面Ｇ１をディスプレイ３５に表示する（ステップＳ１）。
【００３３】
ここで、図８は、ログイン画面Ｇ１の一例を示す説明図である。ログイン画面Ｇ１は、監査者（看護師）の登録を求める画面である。ログイン画面Ｇ１には、図８に示すように、「監査者はＩＤカードを読み取らせて下さい」というガイドコメントが表示される。また、ログイン画面Ｇ１には、ＩＤ（IDentification）カードに付されている看護師コードのコードシンボルをスキャナ２２に読み込ませることを促すガイド画像が表示される。監査者（看護師）は、監査者登録を行うために、自己のＩＤカードに付された看護師コードのコードシンボルをスキャナ２２の前にかざして、看護師コードを登録する。
【００３４】
次いで、薬剤監査装置１４のＭＰＵ３１（登録部３１２）は、スキャナ２２が読み込んだ看護師コードをＲＡＭ３３などに登録する（ステップＳ２）。
【００３５】
次いで、薬剤監査装置１４のＭＰＵ３１（表示制御部３１４）は、オーダー番号入力画面（不図示）を表示させる（ステップＳ３）。オーダー番号入力画面は、監査対象となる薬剤のオーダー番号を入力する画面である。
【００３６】
次いで、オーダー番号が入力されると、薬剤監査装置１４のＭＰＵ３１は、入力されたオーダー番号の監査者登録テーブルＴを生成し、ＲＡＭ３３に登録された看護師コードを
監査者として監査者登録テーブルＴに登録する（ステップＳ４）。
【００３７】
次いで、薬剤監査装置１４のＭＰＵ３１（判定部３１３）は、入力されたオーダー番号の監査者登録テーブルＴに登録された監査者の人数が、監査設定情報Ｄに設定された監査者の人数に達したか否かを判定する（ステップＳ５）。監査設定情報Ｄに設定された監査者の人数に達した場合に（ステップＳ５；Ｎｏ）、薬剤監査装置１４のＭＰＵ３１（判定部３１３）は、ステップＳ９に移行する。
【００３８】
一方、監査設定情報Ｄに設定された監査者の人数以下である場合に（ステップＳ５；Ｙｅｓ）、薬剤監査装置１４のＭＰＵ３１（表示制御部３１４）は、追加登録画面Ｇ２を表示する（ステップＳ６）。
【００３９】
ここで、図９は、追加登録画面Ｇ２の一例を示す説明図である。追加登録画面Ｇ２は、設定した監査者に対して、登録された監査者の人数が足りないために、監査者の登録を求める画面である。よって、追加登録画面Ｇ２は、「現在操作中の監査者とは、別の監査者のログインを行ってください」とのメッセージを表示する。また、追加登録画面Ｇ２は、ＩＤカードに付されている看護師コードのコードシンボルをスキャナ２２に読み込ませることを促すガイド画像が表示される。
【００４０】
次いで、薬剤監査装置１４のＭＰＵ３１（登録部３１２）は、スキャナ２２が読み込んだ監査者（看護師）コードを監査者登録テーブルＴに登録する（ステップＳ７）。
【００４１】
次いで、薬剤監査装置１４のＭＰＵ３１（判定部３１３）は、監査者登録テーブルＴに登録された監査者の人数が、監査設定情報Ｄに設定された人数に達しているか否かを判定する（ステップＳ８）。監査設定情報Ｄに設定された人数に達していない場合に（ステップＳ８；Ｎｏ）、薬剤監査装置１４のＭＰＵ３１（判定部３１３）は、ステップＳ６に戻り、再度、監査者を登録する。
【００４２】
一方、監査設定情報Ｄに設定された人数に達している場合に（ステップＳ８；Ｙｅｓ）、薬剤監査装置１４のＭＰＵ３１（表示制御部３１４）は、入力されたオーダー番号に関連付けられて登録された薬剤の一覧であるオーダー内容画面Ｇ３を表示する（ステップＳ９）。
【００４３】
図１０は、オーダー内容画面Ｇ３の一例を示す説明図である。オーダー内容画面Ｇ３は、入力されたオーダー番号に関連付けられた薬剤の一覧を表示した画面である。オーダー内容画面Ｇ３には、図１０に示すように、患者コードと、薬剤リストと、完了ボタンＢ１とを表示する。患者コードは、指示書に記載された薬剤を投与する患者を示す情報である。薬剤リストは、取り揃えられた薬剤のリストである。また、薬剤リストは、薬剤名と、処方量／単位と、必要量と、を表示する欄を有する。薬剤名は、薬剤の名称を表示する欄である。処方量／単位は、薬剤の単位となる量を表示する欄である。必要量は、指示書にて指示された薬剤の取り揃える量を表示する欄である。また、必要量は、スラッシュの左側に取り揃えた量が表示され、右側に取り揃える量が表示される。そして、必要量の薬剤が取り揃えられた場合に、丸マークが表示される。完了ボタンＢ１は、薬剤の取り揃えが完了した場合に押下するボタンである。また、完了ボタンＢ１は、全ての薬剤の取り揃えが完了した場合に、表示されるようにしてもよい。
【００４４】
次いで、薬剤監査装置１４のＭＰＵ３１（読取部３１１）は、薬剤コードの読み取りを検出したか否かを判定する（ステップＳ１０）。薬剤コードの読み取りを検出しない場合に（ステップＳ１０；Ｎｏ）、薬剤監査装置１４のＭＰＵ３１（読取部３１１）は、待機する。
【００４５】
一方、薬剤コードの読み取りを検出した場合に（ステップＳ１０；Ｙｅｓ）、薬剤監査装置１４のＭＰＵ３１（判定部３１３）は、監査者登録テーブルＴに登録された監査者の人数が、薬剤監査マスタＤＢ２に設定された人数に達しているか否かを判定する（ステップＳ１１）。さらに詳しくは、薬剤監査装置１４のＭＰＵ３１（判定部３１３）は、薬剤監査マスタＤＢ２において、読み取った薬剤コードと同一の薬剤コードに対応付けられた監査人数に達している否かを判定する。
【００４６】
監査設定情報Ｄおよび薬剤監査マスタＤＢ２に設定された人数に達していない場合に（ステップＳ１１；Ｎｏ）、薬剤監査装置１４のＭＰＵ３１（表示制御部３１４）は、薬剤確認画面Ｇ４を表示する（ステップＳ１２）。
【００４７】
ここで、図１１は、薬剤確認画面Ｇ４の一例を示す説明図である。薬剤確認画面Ｇ４は、薬剤が指示書情報に含まれる薬剤であることの確認と、監査したことの記録として、ＩＤカードを読み取らせる事とを求める画面である。薬剤確認画面Ｇ４は、「薬剤を確認後、ＩＤカードを読み取らせて下さい」とのメッセージを有する。そして、薬剤確認画面Ｇ４は、スキャナ２２が読み取った薬剤コードを有する薬剤が表示される。また、薬剤確認画面Ｇ４は、ＩＤカードに付されている看護師コードのコードシンボルをスキャナ２２に読み込ませることを促すガイド画像が表示される。
【００４８】
次いで、薬剤監査装置１４のＭＰＵ３１（判定部３１３）は、ステップＳ１１に戻り、設定された人数に達したか否かを判定する。
【００４９】
一方、監査設定情報Ｄおよび薬剤監査マスタＤＢ２に設定された人数に達した場合に（ステップＳ１１；Ｙｅｓ）、薬剤監査装置１４のＭＰＵ３１（判定部３１３）は、監査者登録テーブルＴに登録されている監査者の職種が、薬剤監査マスタＤＢ２に設定されている職種を満たしているか否かを判定する（ステップＳ１３）。
【００５０】
薬剤監査マスタＤＢ２に設定されている職種が満たされていない場合に（ステップＳ１３；Ｎｏ）、薬剤監査装置１４のＭＰＵ３１（表示制御部３１４）は、職種指定確認画面Ｇ５を表示する（ステップＳ１４）。
【００５１】
ここで、図１２は、職種指定確認画面Ｇ５の一例を示す説明図である。職種指定確認画面Ｇ５は、薬剤監査マスタＤＢ２に設定されている職種の医療従事者による監査を求める画面である。職種指定確認画面Ｇ５は、「薬剤を確認後、医師はＩＤカードを読み取らせて下さい」とのメッセージが表示される。このように、職種指定確認画面Ｇ５は、薬剤監査マスタＤＢ２に設定されている職種を指定して表示する。また、職種指定確認画面Ｇ５は、スキャナ２２が読み取った薬剤コードを有する薬剤が表示される。さらに、職種指定確認画面Ｇ５は、ＩＤカードに付されているコードシンボルをスキャナ２２に読み込ませることを促すガイド画像が表示される。
【００５２】
そして、薬剤監査装置１４のＭＰＵ３１（判定部３１３）は、ステップＳ１３に戻り、監査者登録テーブルＴに登録されている監査者の職種が、薬剤監査マスタＤＢ２に設定されている職種を満たしているか否かを判定する。
【００５３】
一方、薬剤監査マスタＤＢ２に設定されている職種が満たされている場合に（ステップＳ１３；Ｙｅｓ）、薬剤監査装置１４のＭＰＵ３１（監査部３１５）は、スキャナ２２が読み取った薬剤が指示書情報に含まれるか否かを判定する（ステップＳ１５）。
【００５４】
スキャナ２２が読み取った薬剤が指示書情報に含まれていない場合に（ステップＳ１５；Ｎｏ）、薬剤監査装置１４のＭＰＵ３１は（表示制御部３１４）、報知画面（不図示）を表示する（ステップＳ１６）。ここで、報知画面は、指示書情報に含まれていない薬剤が読み取られたことを報知する画面である。
【００５５】
一方、スキャナ２２が読み取った薬剤が指示書情報に含まれている場合に（ステップＳ１５；Ｙｅｓ）、薬剤監査装置１４のＭＰＵ３１は、薬剤確認画面Ｇ４にてＩＤカードを読み取らせた監査者の登録を消去する（ステップＳ１７）。
【００５６】
次いで、監査処理を終了する完了ボタンＢ１の押下が検出されるか否かを判定する（ステップＳ１８）。完了ボタンＢ１の押下が検出されない場合に（ステップＳ１８；Ｎｏ）、薬剤監査装置１４のＭＰＵ３１は、ステップＳ９に戻る。
【００５７】
一方、完了ボタンＢ１の押下が検出された場合に（ステップＳ１８；Ｙｅｓ）、薬剤監査装置１４のＭＰＵ３１は、監査設定情報Ｄでログオフ設定がされているか否かを判定する（ステップＳ１９）。監査設定情報Ｄでログオフ設定がされていない場合に（ステップＳ１９；Ｎｏ）、薬剤監査装置１４のＭＰＵ３１は、ステップＳ２３に移行する。
【００５８】
一方、監査設定情報Ｄでログオフ設定がされている場合に（ステップＳ１９；Ｙｅｓ）、薬剤監査装置１４のＭＰＵ３１は、ログオフ入力画面Ｇ６を表示する（ステップＳ２０）。
【００５９】
ここで、図１３は、ログオフ入力画面Ｇ６の一例を示す説明図である。ログオフ入力画面Ｇ６は、ログオフするために、看護師コード、医師コード、薬剤師コード等の識別情報をスキャナ２２に読み取らせることを求める画面である。ログオフ入力画面Ｇ６は、「ＩＤカードを読み取らせて、ログオフして下さい」とのメッセージが表示される。また、ログオフ入力画面Ｇ６は、ＩＤカードに付されている看護師コードのコードシンボルをスキャナ２２に読み込ませることを促すガイド画像が表示される。
【００６０】
次いで、薬剤監査装置１４のＭＰＵ３１（登録部３１２）は、入力されたＩＤコードを有する医療従事者を監査者から解除する（ステップＳ２１）。
【００６１】
次いで、薬剤監査装置１４のＭＰＵ３１（登録部３１２）は、監査者登録テーブルＴに登録された全ての監査者がログオフしたか否かを判定する（ステップＳ２２）。監査者登録テーブルＴに登録された全ての監査者のログオフしていない場合に（ステップＳ２２；Ｎｏ）、薬剤監査装置１４のＭＰＵ３１（登録部３１２）は、ステップＳ２０に戻る。
【００６２】
一方、監査者登録テーブルＴに登録された全ての監査者のログオフした場合に（ステップＳ２２；Ｙｅｓ）、薬剤監査装置１４のＭＰＵ３１（登録部３１２）は、監査者の登録を消去する（ステップＳ２３）。
【００６３】
以上のように、本実施形態によれば、薬剤監査装置１４は、監査者を監査者登録テーブルＴに登録する登録部３１２を備えている。そして、判定部３１３は、監査者登録テーブルＴに登録された監査者の人数が所定の条件を満たしたか否かを判定する。そして、監査部３１５は、判定部３１３が条件を満たしたと判定した場合に、取り揃えるべき薬剤が示された指示書情報に含まれているか否かを判定する。よって、本実施形態に係る薬剤監査装置１４は、複数の操作者による監査処理に係る操作を受付けることができる。
【００６４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６５】
なお、上記実施形態では、ＩＤカードに付されているコードシンボルを読み取らせることで、医療従事者を識別する識別情報を読み取ると説明している。しかし、医療従事者を識別する識別情報は、コードシンボルに限らない。例えば、生体認証により医療従事者を識別してもよい。
【００６６】
なお、上記実施形態では、監査設定情報Ｄと薬剤監査マスタＤ２との両方を用いた例を説明したが、何れか一方のみを用いて監査してもよい。その場合には、監査設定情報Ｄで監査してもよいし、薬剤監査マスタＤ２で監査してもよい。または、監査設定情報Ｄと薬剤監査マスタＤ２とが一つにまとめられていてもよい。
【００６７】
また、上記実施形態の各装置で実行されるプログラムは、各装置が備える記憶媒体（ＲＯＭ又は記憶部）に予め組み込んで提供するものとするが、これに限らず、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００６８】
また、上記実施形態の各装置で実行されるプログラムをインターネット等のネットワークに接続されたコンピュータ上に格納し、ネットワーク経由でダウンロードさせることにより提供するように構成してもよく、インターネット等のネットワーク経由で提供又は配布するように構成してもよい。
【符号の説明】
【００６９】
１０    薬剤管理システム
１４    薬剤監査装置
３１    ＭＰＵ
３１１  読取部
３１２  登録部
３１３  判定部
３１４  表示制御部
３１５  監査部
Ｄ      監査設定情報
ＤＢ２  薬剤監査マスタ
Ｔ      監査者登録テーブル
【先行技術文献】
【特許文献】
【００７０】
【特許文献１】特開２００２−１６３３５７号公報
【図１】
2015169954.tif 000003
【図２】
2015169954.tif 000004
【図３】
2015169954.tif 000005
【図４】
2015169954.tif 000006
【図５】
2015169954.tif 000007
【図６】
2015169954.tif 000008
【図７】
2015169954.tif 000009
【図８】
2015169954.tif 000010
【図９】
2015169954.tif 000011
【図１０】
2015169954.tif 000012
【図１１】
2015169954.tif 000013
【図１２】
2015169954.tif 000014
【図１３】
2015169954.tif 000015